(57)【要約】【課題】マットレスと床板とを直接的に固着させることによって、前後に分割された床板であっても十分な寝心地を提供できる組立式マットレスベッドを提供すること。【解決手段】本発明は、上面及び底面、左右側面、並びに、前後側面を有するマットレスと、支持脚部によって支持される前方床板と、支持脚部によって支持される後方床板と、を備え、前記マットレスの前記左右側面の各々には、当該マットレスの前記底面よりも下方側に垂れ下がる垂下部が設けられており、前記垂下部の各々は、前記マットレスが前記前方床板及び前記後方床板の上に載置された状態で、前記前方床板の底面及び／または前記後方床板の底面に対向する位置にまで内側に折り込まれることが可能となっており、前記垂下部の各々の内側面と前記前方床板の底面及び／または前記後方床板の底面とは、互いに対して直接的に取り外し可能に固着可能であることを特徴とする。【選択図】図２
2020000607.tif 000002
【特許請求の範囲】
【請求項１】
互いに反対側を向く上面及び底面、互いに反対側を向く左右側面、並びに、互いに反対側を向く前後側面を有するマットレスと、
支持脚部によって支持される前方床板と、
支持脚部によって支持される後方床板と、
を備え、
前記マットレスの前記左右側面の各々には、当該マットレスの前記底面よりも下方側に垂れ下がる垂下部が設けられており、
前記垂下部の各々は、前記マットレスが前記前方床板及び前記後方床板の上に載置された状態で、前記前方床板の底面及び／または前記後方床板の底面に対向する位置にまで内側に折り込まれることが可能となっており、
前記垂下部の各々の内側面と前記前方床板の底面及び／または前記後方床板の底面とは、互いに対して直接的に取り外し可能に固着可能である
ことを特徴とする組立式マットレスベッド。
【請求項２】
前記垂下部の各々の内側面には、面ファスナが設けられており、
前記前方床板の底面及び／または前記後方床板の底面の前記垂下部の各々の内側面と対向する位置には、トリコット生地が張られている
ことを特徴とする請求項１に記載の組立式マットレスベッド。
【請求項３】
前記垂下部は、前記マットレスの前記左右側面の略全幅に亘って設けられている
ことを特徴とする請求項１または２に記載の組立式マットレスベッド。
【請求項４】
前記マットレスの前記前後側面の各々には、当該マットレスの前記底面よりも下方側に垂れ下がる第２垂下部が設けられており、
前記第２垂下部の各々は、前記マットレスが前記前方床板及び前記後方床板の上に載置された状態で、前記前方床板の底面または前記後方床板の底面に対向する位置にまで内側に折り込まれることが可能となっており、
前記第２垂下部の各々の内側面と前記前方床板の底面または前記後方床板の底面とは、互いに対して直接的に取り外し可能に固着可能である
ことを特徴とする請求項１乃至３のいずれかに記載の組立式マットレスベッド。
【請求項５】
前記第２垂下部の各々の内側面には、面ファスナが設けられており、
前記前方床板の底面及び前記後方床板の底面の前記第２垂下部の各々の内側面と対向する位置には、トリコット生地が張られている
ことを特徴とする請求項４に記載の組立式マットレスベッド。
【請求項６】
前記第２垂下部は、前記マットレスの前記前後側面の略全幅に亘って設けられている
ことを特徴とする請求項４または５に記載の組立式マットレスベッド。
【請求項７】
前記前方床板と前記後方床板とは、同一の共通部材である
を更に備えたことを特徴とする請求項１乃至６のいずれかに記載の組立式マットレスベッド。
【請求項８】
前記前方床板と前記後方床板とを共通に支持する共通脚部
を更に備えたことを特徴とする請求項１乃至７のいずれかに記載の組立式マットレスベッド。
【請求項９】
前記マットレスは、丸めてロール状に変形させることが可能であり、且つ、当該ロール状の変形状態を開放した時に元の平坦な状態に復帰することが可能なスプリングコイル内蔵マットレスである
ことを特徴とする請求項１乃至８のいずれかに記載の組立式マットレスベッド。
【請求項１０】
互いに反対側を向く上面及び底面、互いに反対側を向く左右側面、並びに、互いに反対側を向く前後側面を有するマットレスであって、
当該マットレスの前記左右側面の各々には、当該マットレスの前記底面よりも下方側に垂れ下がる垂下部が設けられており、
前記垂下部の各々は、前記マットレスが床板の上に載置された状態で、前記床板の底面に対向する位置にまで内側に折り込まれることが可能となっており、
前記垂下部の各々の内側面には、面ファスナが設けられている
ことを特徴とするマットレス。
【請求項１１】
前記マットレスの前記前後側面の各々には、当該マットレスの前記底面よりも下方側に垂れ下がる第２垂下部が設けられており、
前記第２垂下部の各々は、前記マットレスが前記床板の上に載置された状態で、前記床板の底面に対向する位置にまで内側に折り込まれることが可能となっており、
前記第２垂下部の各々の内側面には、面ファスナが設けられている
ことを特徴とする請求項１０に記載のマットレス。
【発明の詳細な説明】
【技術分野】
【０００１】
本発明は、コンパクトな要素部材に分割することが可能な組立式マットレスベッドに関する。
【背景技術】
【０００２】
従来は、ベッドの堅牢性が重視され、ベッドの床板やベッドのフレームは、一体物であることが主流であった。
【発明の概要】
【発明が解決しようとする課題】
【０００３】
しかしながら、近年では、各要素部材の材質の改良等によって環境温度変化に起因する当該要素部材の熱変形が抑制され、更に、カムロック等の普及によって簡易な組立方法であっても「ガタ」のない組立が実現されてきたことに伴い、組立式マットレスベッドが商品化されるようになってきた。
【０００４】
具体的には、例えば床板を分割した商品や、サイドフレームを分割した商品などが、既に開発されて販売されている。
【０００５】
本件発明者は、そのような傾向を踏まえ、商品価値の高い組立式マットレスベッドの開発に携わってきた。そして、鋭意の検討の結果、マットレスと床板とを直接的に固着させることによって、組立に関連する部品点数を顕著に低減できること（カムロックさえ不要となる）、及び、マットレスと床板とが安定的に固着するので分割床板を採用しても十分良好な寝心地が提供できること、を知見するに至った。
【０００６】
更に、本件発明者は、そのような分割床板を採用することで、組立式マットレスベッドの要素部材の搬送サイズをより一層低減でき、搬送コストを顕著に抑制できることを知見するに至った。
【０００７】
本発明は、以上の知見に基づいて創案されたものである。本発明の目的は、マットレスと床板とを直接的に固着させることによって、前後に分割された床板であっても十分な寝心地を提供できる組立式マットレスベッドを提供することである。
【課題を解決するための手段】
【０００８】
本発明は、互いに反対側を向く上面及び底面、互いに反対側を向く左右側面、並びに、互いに反対側を向く前後側面を有するマットレスと、支持脚部によって支持される前方床板と、支持脚部によって支持される後方床板と、を備え、前記マットレスの前記左右側面の各々には、当該マットレスの前記底面よりも下方側に垂れ下がる垂下部が設けられており、前記垂下部の各々は、前記マットレスが前記前方床板及び前記後方床板の上に載置された状態で、前記前方床板の底面及び／または前記後方床板の底面に対向する位置にまで内側に折り込まれることが可能となっており、前記垂下部の各々の内側面と前記前方床板の底面及び／または前記後方床板の底面とは、互いに対して直接的に取り外し可能に固着可能であることを特徴とする組立式マットレスベッドである。
【０００９】
本発明によれば、マットレスの左右側面から垂れ下がる垂下部の各々の内側面と、前方床板の底面及び／または後方床板の底面とが、互いに対して直接的に取り外し可能に固着可能であることにより、組立に関連する部品点数を顕著に低減できる（カムロックさえ不要となる）。また、マットレスと床板とが安定的に固着するので、前方床板と後方床板との分割床板を採用しているにも拘わらず、十分良好な寝心地を提供できる。更に、前方床板と後方床板との分割床板を採用しているため、搬送コストを顕著に抑制することができる。また、垂下部は、非常に廉価に設けることができるため、製造コストの点でも優れている。
【００１０】
なお、本明細書において「直接的に固着」というのは、工具を用いる作業を必要とする締結具（例えば木ネジやカムロック等）を介さない固定、という意味であり、例えば面ファスナ同士の固着や面ファスナとトリコット生地との固着が例として挙げられる。これらの部材は廉価であるし、簡単な手作業で美しく固着状態を整えることができる。例えば、垂下部の各々の内側面に面ファスナが設けられ得て、前方床板の底面及び／または後方床板の底面の垂下部の各々の内側面と対向する位置にトリコット生地が張られ得る。
【００１１】
本発明の垂下部は、前方床板の底面及び／または後方床板の底面に対向する位置にまで内側に折り込まれるならば、つまり、それだけの柔軟性を有する材料で製造され、且つ、それだけの大きさを有していれば、形状は任意であるし、数も任意である。デザイン的には、左右側面を構成する生地がそのまま連続的に垂下部を形成する態様が望ましいが、左右側面を構成する生地とは別材料で垂下部が形成されてもよい。
【００１２】
好ましくは、１つの垂下部が前方床板の底面と後方床板の底面との両方に亘るように固着される場合、前方床板と後方床板とを結合する部品さえ省略可能となる。具体的には、例えば各側面の垂下部が当該側面の略全幅（好ましくは全幅の８０％以上、より好ましくは全幅の９０％以上）に亘って設けられている場合、より長い（広い）領域において前方床板の底面及び後方床板の底面と固着することができるため、両者の固着状態が非常に安定的となり、「ずれ」のような不具合が生じることがない。
【００１３】
あるいは、各側面に２つずつの垂下部が設けられて、前方側の垂下部が前方床板の底面に固着され、後方側の垂下部が後方床板の底面に固着される、という態様が採用されてもよい。この態様であっても、前方床板と後方床板とを結合する部品を省略可能である。
【００１４】
更に、本発明の垂下部は、左右のみならず、前後においても設けられていることが好ましい。
【００１５】
すなわち、本発明において、前記マットレスの前記前後側面の各々には、当該マットレスの前記底面よりも下方側に垂れ下がる第２垂下部が設けられており、前記第２垂下部の各々は、前記マットレスが前記前方床板及び前記後方床板の上に載置された状態で、前記前方床板の底面または前記後方床板の底面に対向する位置にまで内側に折り込まれることが可能となっており、前記第２垂下部の各々の内側面と前記前方床板の底面または前記後方床板の底面とは、互いに対して直接的に取り外し可能に固着可能であることが好ましい。
【００１６】
この場合、マットレスの前後側面から垂れ下がる第２垂下部の各々の内側面と、前方床板の底面または後方床板の底面とが、互いに対して直接的に取り外し可能に固着可能であることにより、マットレスと床板とが更に安定的に固着するので、更に良好な寝心地を提供できる。また、第２垂下部も、垂下部同様、非常に廉価に設けることができるため、製造コストの点でも優れている。
【００１７】
第２垂下部の内側面と各床板の底面との「直接的に固着」についても、工具を用いる作業を必要とする締結具（例えば木ネジやカムロック等）を介さない固定、という意味であり、例えば面ファスナ同士の固着や面ファスナとトリコット生地との固着が例として挙げられる。これらの部材は廉価であるし、簡単な手作業で美しく固着状態を整えることができる。例えば、第２垂下部の各々の内側面に面ファスナが設けられ得て、前方床板の底面及び後方床板の底面の第２垂下部の各々の内側面と対向する位置にトリコット生地が張られ得る。
【００１８】
第２垂下部についても、前方床板の底面または後方床板の底面に対向する位置にまで内側に折り込まれるならば、つまり、それだけの柔軟性を有する材料で製造され、且つ、それだけの大きさを有していれば、形状は任意であるし、数も任意である。デザイン的には、前後側面を構成する生地がそのまま連続的に第２垂下部を形成する態様が望ましいが、前後側面を構成する生地とは別材料で第２垂下部が形成されてもよい。
【００１９】
好ましくは、例えば各側面の第２垂下部が当該側面の略全幅（好ましくは全幅の８０％以上、より好ましくは全幅の９０％以上）に亘って設けられている場合、より長い（広い）領域において前方床板の底面または後方床板の底面と固着することができるため、両者の固着状態が非常に安定的となり、「ずれ」のような不具合が生じることがない。
【００２０】
また、本発明において、前方床板と後方床板とを同一の共通部材とすれば、製造コスト等を更に抑制することができる。
【００２１】
また、デザイン上のバリエーションとして、前方床板と後方床板とが共通脚部によって共通に支持される態様も採用可能である。例えば、共通脚部は、上面側にプレート板を有する側面視Ｔ字状の形態であって、当該プレート板が前方床板と後方床板とに結合されるようになっている。
【００２２】
また、本発明において、マットレスは、丸めてロール状に変形させることが可能であり、且つ、当該ロール状の変形状態を開放した時に元の平坦な状態に復帰することが可能なスプリングコイル内蔵マットレスであることが好ましい。この場合、マットレスの搬送コストを抑制することができる。
【００２３】
更に、以上の本発明のコンセプトに準じて、少なくとも本件出願の時点では、マットレス単体についても本件の保護対象である。
【００２４】
すなわち、本発明は、互いに反対側を向く上面及び底面、互いに反対側を向く左右側面、並びに、互いに反対側を向く前後側面を有するマットレスであって、当該マットレスの前記左右側面の各々には、当該マットレスの前記底面よりも下方側に垂れ下がる垂下部が設けられており、前記垂下部の各々は、前記マットレスが床板の上に載置された状態で、前記床板の底面に対向する位置にまで内側に折り込まれることが可能となっており、  前記垂下部の各々の内側面には、面ファスナが設けられていることを特徴とするマットレスである。
【００２５】
この場合も、前記マットレスの前記前後側面の各々には、当該マットレスの前記底面よりも下方側に垂れ下がる第２垂下部が設けられており、前記第２垂下部の各々は、前記マットレスが前記床板の上に載置された状態で、前記床板の底面に対向する位置にまで内側に折り込まれることが可能となっており、前記第２垂下部の各々の内側面には、面ファスナが設けられていることが好ましい。
【発明の効果】
【００２６】
本発明によれば、マットレスの側面から垂れ下がる垂下部の各々の内側面と、前方床板の底面及び／または後方床板の底面とが、互いに対して直接的に取り外し可能に固着可能であることにより、組立に関連する部品点数を顕著に低減できる（カムロックさえ不要となる）。また、マットレスと床板とが安定的に固着するので、前方床板と後方床板との分割床板を採用しているにも拘わらず、十分良好な寝心地を提供できる。更に、前方床板と後方床板との分割床板を採用しているため、搬送コストを顕著に抑制することができる。
【図面の簡単な説明】
【００２７】
【図１】本発明の一実施形態に係る組立式マットレスベッドの組立後の状態を示す右側（人が仰向けに寝た時の右手側）側面図である。
【図２】図１の組立式マットレスベッドのマットレスの三面図であり、図２（ａ）は平面図、図２（ｂ）は右側（人が仰向けに寝た時の右手側）側面図、図２（ｃ）は後側側面図である。
【図３】図２のマットレスのコーナー部分の斜視図である。
【図４】図１の組立式マットレスベッドの前方床板の側面図及び底面図であり、図４（ａ）は右側側面図、図４（ｂ）は底面図である。
【図５】図１の組立式マットレスベッドの底面図である。
【図６】共通脚部の一例を示す概略図である。
【図７】共通脚部を採用した組立式マットレスベッドの底面図である。
【図８】図７の組立式マットレスベッドの右側側面図である。
【発明を実施するための形態】
【００２８】
以下、図面を参照して本発明の実施の形態について説明する。  
【００２９】
図１は、本発明の一実施形態に係る組立式マットレスベッド１００の組立後の状態を示す右側側面図であり、図２（ａ）は、本実施形態の組立式マットレスベッド１００のマットレス１０の平面図であり、図２（ｂ）は、当該マットレス１０の右側側面図であり、図２（ｃ）は、当該マットレス１０の後側側面図である。図２（ｂ）においては、マットレス本体１７を図示するべく、一部の側生地を省略した図示がなされている。また、図３は、図２（ａ）乃至図２（ｃ）のマットレス１０のコーナー部分の斜視図である。
【００３０】
一方、図４（ａ）は、本実施形態の組立式マットレスベッド１００の前方床板５０の右側側面図であり、図４（ｂ）は、当該前方床板５０の底面図である。また、図５は、本実施形態の組立式マットレスベッド１００の底面図である。
【００３１】
図１乃至図５に示すように、本実施形態の組立式マットレスベッド１００は、マットレス１０と、支持脚部５１によって支持される前方床板５０と、支持脚部６１によって支持される後方床板６０と、を備えている。
【００３２】
本実施形態では、前方床板５０と後方床板６０とが、同一の共通部材として構成されており、支持脚部５１と支持脚部６１についても同一の共通部材である。従って、後方床板６０について図４に相当する図示が省略されている。
【００３３】
もっとも、本発明は、そのような態様に限定はされず、前方床板５０及び後方床板６０の形状ないしデザインは任意である。
【００３４】
前方床板５０（本実施形態では後方床板６０も同様）は、図４（ａ）及び図４（ｂ）に示すように、長方形状の床板材５２（サイズは、例えば、９００ｃｍ（ベッド縦長さの半分）×８５０ｃｍまたは１０００ｃｍ（ベッド幅）×５ｃｍ（板厚））の底面に、４本の支持脚部５１が取り付けられている。各支持脚部５１は、床板材５２の各コーナーに対応して設けられている。また、床板材５２の底面は、支持脚部５１の取り付け部を除いて、全面にトリコット生地５２ｔが張られている。
【００３５】
本実施形態の支持脚部５１は、直径５ｃｍ、高さ１５ｃｍの円筒状の部材からなり、その中心線の位置が床板材５２の縦縁及び横縁に対して共に８ｃｍ内側となるように位置決めされて、床板材５２に固定されている。当該固定は、取り外し可能な固定（例えばネジ等の締結具を用いた固定）であってもよく、この場合には、支持脚部５１を床板材５２から取り外した状態で搬送することにより、更に搬送時のサイズをコンパクトにして搬送コストを抑制することができる。もっとも、当該固定は、接着固定であってもよく、この場合には、支持脚部５１に関する組立作業が不要である。
【００３６】
前方床板５０と後方床板６０とがベッド縦方向の前後に並べられた状態で、それらの上にマットレス１０が載置される。図１乃至図３に示すように、本実施形態のマットレス１０は、一般的なマットレスと同様、互いに反対側を向く上面１１（この上で人が寝る）及び底面１２（前方床板５０及び後方床板６０によって支持される）、互いに反対側を向く右側面１３及び左側面１４、並びに、互いに反対側を向く前側面１５及び後側面１６を有している。
【００３７】
本実施形態のマットレス１０の右側面１３には、当該マットレス１０の底面１２よりも下方側に垂れ下がる右垂下部２３（垂下部の一例）が設けられており、当該右垂下部２３は、マットレス１０が前方床板５０及び後方床板６０の上に載置された状態で、前方床板５０の底面（裏面）のトリコット生地５２ｔ及び後方床板６０の底面のトリコット生地に対向する位置にまで内側に折り込まれることが可能となっている。
【００３８】
同様に、本実施形態のマットレス１０の左側面１４には、当該マットレス１０の底面１２よりも下方側に垂れ下がる左垂下部２４（垂下部の一例）が設けられており、当該左垂下部２４も、マットレス１０が前方床板５０及び後方床板６０の上に載置された状態で、前方床板５０の底面（裏面）のトリコット生地５２ｔ及び後方床板６０の底面のトリコット生地に対向する位置にまで内側に折り込まれることが可能となっている。
【００３９】
また、本実施形態のマットレス１０の前側面１５にも、当該マットレス１０の底面１２よりも下方側に垂れ下がる前垂下部２５（第２垂下部の一例）が設けられており、当該前垂下部２５は、マットレス１０が前方床板５０及び後方床板６０の上に載置された状態で、前方床板５０の底面（裏面）のトリコット生地５２ｔに対向する位置にまで内側に折り込まれることが可能となっている。
【００４０】
同様に、本実施形態のマットレス１０の後側面１６にも、当該マットレス１０の底面１２よりも下方側に垂れ下がる後垂下部２６（第２垂下部の一例）が設けられており、当該後垂下部２６は、マットレス１０が前方床板５０及び後方床板６０の上に載置された状態で、後方床板６０の底面（裏面）のトリコット生地に対向する位置にまで内側に折り込まれることが可能となっている。
【００４１】
本実施形態のマットレス１０のサイズは、組立後の状態で、例えば、１８００ｃｍ（ベッド縦長さ）×８５０ｃｍまたは１０００ｃｍ（ベッド幅）×１６ｃｍ（マッドレス厚み））である。スプリングコイル内蔵のマットレス本体１７が、側生地によって覆われて構成されている。マットレス本体１７に対する各側面１３〜１６の側生地の結合は、上面１１から８ｃｍまでの上部領域に限定され、下部領域（８ｃｍ）はマットレス本体１７からフリーになっている。この態様は、各垂下部２３〜２６を内側に折り込む作業を容易にする上で効果的である。
【００４２】
マットレス本体１７が内蔵するスプリングコイルのタイプは、ポケットコイルタイプでも、ボンネルコイルタイプでもよい。但し、本実施形態のマットレス１０は、丸めてロール状に変形させることが可能であって、且つ、当該ロール状の変形状態を開放した時に元の平坦な状態に復帰することが可能なスプリングコイル内蔵マットレスであることが好ましい。この場合、マットレスを搬送時にロール状に変形させることで、マットレスの搬送コストを抑制することができる。
【００４３】
特に図２（ｂ）及び図２（ｃ）に示すように、本実施形態では、右垂下部２３、左垂下部２４、前垂下部２５及び後垂下部２６は、それぞれ、右側面１３（右側生地）、左側面１４（左側生地）、前側面１５（前側生地）及び後側面１６（後側生地）から連続的に設けられている。本実施形態では、右垂下部２３、左垂下部２４、前垂下部２５及び後垂下部２６をマットレス１０の厚み方向に垂らした時の長さ（内側に折り込み可能な長さ）は、いずれも５ｃｍとされている。
【００４４】
一方、右側面１３（右側生地）、左側面１４（左側生地）、前側面１５（前側生地）及び後側面１６（後側生地）は、周方向に連続的に接続されているが、右垂下部２３、左垂下部２４、前垂下部２５及び後垂下部２６は、互いに接続されておらず、それらの各々は独立に内側に折り込まれることが可能となっている。また、内側に折り込まれた時に互いに重なり合わないように、各コーナー部に対応する領域は約４５°斜めに切除されている（図２（ｂ）及び図２（ｃ）並びに図５参照）。
【００４５】
そして、右垂下部２３、左垂下部２４、前垂下部２５及び後垂下部２６の各々の内側面に、２ｃｍ幅の帯状の面ファスナ（雄タイプ）２３ｍ、２４ｍ、２５ｍ、２６ｍが、垂下端側に２ｃｍの隙間を残して、全幅方向に延びるように一体的に設けられている。結果的に、面ファスナ２３ｍ、２４ｍ、２５ｍ、２６ｍは、マットレス１０の各側面１３、１４、１５、１６の略全幅（約９０〜９５％）に亘って設けられている。
【００４６】
これによって、各垂下部２３、２４、２５、２６の内側面に設けられた面ファスナ２３ｍ、２４ｍ、２５ｍ、２６ｍと、各垂下部２３、２４、２５、２６が折り込まれた状態で対向する各床板５０、６０の底面のトリコット生地とが、簡単な手作業で美しく（側生地や各垂下部２３、２４、２５、２６に皺等が残らないように）固着可能となっている。固着された様子は、図５によって確認することができる。
【００４７】
以上のような本実施形態の組立式マットレスベッド１００によれば、マットレス１０の左右側面１３、１４から垂れ下がる右垂下部２３及び左垂下部２４の各々の内側面の面ファスナ２３ｍ、２４ｍと、前方床板５０の底面のトリコット生地５２ｔ及び後方床板６０の底面のトリコット生地とが、互いに対して簡単に左右方向から包み込む（抱え込む）ように固着可能であることにより、組立に関連する部品点数を顕著に低減できる（カムロックさえ不要となる）。
【００４８】
また、マットレス１０と前方床板５０及び後方床板６０とが安定的に固着するので、前方床板５０と後方床板６０との分割床板を採用しているにも拘わらず、十分良好な寝心地を提供できる。更に、前方床板５０と後方床板６０との分割床板を採用したことにより、搬送コストを顕著に抑制することができる。また、右垂下部２３及び左垂下部２４は、非常に廉価に設けることができるため、製造コストの点でも優れている。
【００４９】
本実施形態の右垂下部２３及び左垂下部２４は、それぞれ、前方床板５０の底面と後方床板６０の底面との両方に亘るように固着される（特に図５参照）。このため、前方床板５０と後方床板６０とを互いに結合する他の部品を省略可能である。
【００５０】
また、本実施形態の右垂下部２３及び左垂下部２４は、それぞれ、対応するマットレス１０の側面１３、１４の略全幅（約９５％）に亘って設けられた面ファスナ２３ｍ、２４ｍによって、より長い（広い）領域において前方床板５０の底面及び後方床板６０の底面と固着することができるため、両者の固着状態が非常に安定的となり、「ずれ」のような不具合が生じることがない。
【００５１】
更に、本実施形態においては、左右のみならず、前後においても垂下部が設けられていて、すなわち、マットレス１０の前後側面１５、１６から垂れ下がる前垂下部２５及び後垂下部２６の各々の内側面の面ファスナ２５ｍ、２６ｍと、前方床板５０の底面のトリコット生地５２ｔまたは後方床板６０の底面のトリコット生地とが、互いに対して簡単に前後方向から包み込む（抱え込む）ように固着可能であることにより、マットレス１０と床板５０、６０とが更に安定的に固着するので、更に良好な寝心地を提供できる。また、前垂下部２５及び後垂下部２６も、右垂下部２３及び左垂下分２４同様、非常に廉価に設けることができるため、製造コストの点でも優れている。
【００５２】
また、本実施形態の前垂下部２５及び後垂下部２６は、それぞれ、対応するマットレス１０の側面１５、１６の略全幅（約９０％）に亘って設けられた面ファスナ２５ｍ、２６ｍによって、より長い（広い）領域において前方床板５０の底面または後方床板６０の底面と固着することができるため、両者の固着状態が非常に安定的となり、「ずれ」のような不具合が生じることがない。
【００５３】
また、本実施形態では、前方床板５０と後方床板６０とを同一の共通部材としているため、製造コスト等を抑制することができる。
【００５４】
なお、デザイン上のバリエーションとして、前方床板５０と後方床板６０とが共通脚部７１によって共通に支持される態様も採用可能である。例えば、共通脚部７１は、図６に示すように、上面側にプレート板７２を有する側面視Ｔ字状の形態であって、当該プレート板７０が前方床板５０と後方床板６０とに例えばネジ７３を介して結合されるようになっている。
【００５５】
例えば、前方床板５０と後方床板６０において、内側（隣接側）の各２本の支持脚部５１、６１の代わりに雌ネジ孔が設けられて、当該雌ネジ孔に対してネジ７３を螺合させることによって、図７及び図８に示すように、共通脚部７１を前方床板５０と後方床板６０とに固定することができる。このような態様によれば、合計６本脚の組立式マットレスベッド２００を提供することができる。
【００５６】
なお、本発明の範囲は、少なくとも本件出願の時点においては、床板が前方床板と後方床板とに二分割された態様に限定されず、前方床板と後方床板との間に１以上の中間床板を有する態様（すなわち、床板が３分割以上された態様）をも含む。
【符号の説明】
【００５７】
１００、２００  組立式マットレスベッド
１０            マットレス
１１            上面
１２            底面
１３            右側面
１４            左側面
１５            前側面
１６            後側面
１７            コイルスプリング内蔵マットレス本体
２３            右垂下部
２４            左垂下部
２５            前垂下部
２６            後垂下部
２３ｍ〜２６ｍ  面ファスナ
５０            前方床板
５１            支持脚部
５２            床板材
５２ｔ          トリコット生地
６０            後方床板
６１            支持脚部
７１            共通脚部
７２            プレート板
７３            ネジ
【図１】
2020000607.tif 000003
【図２】
2020000607.tif 000004
【図３】
2020000607.tif 000005
【図４】
2020000607.tif 000006
【図５】
2020000607.tif 000007
【図６】
2020000607.tif 000008
【図７】
2020000607.tif 000009
【図８】
2020000607.tif 000010